(57)【要約】【課題】  券発売装置において、故障したユニットが発生した場合、故障したユニットの切り離し処理を行い、故障していないユニットは継続して使用できるようにした券発売装置を提供する。【解決手段】  故障したユニットが発生した場合、当該故障ユニットの動作状況（故障状況）を係員操作部５に表示する。操作員によって故障状況が認識され、係員操作部５の発売制限画面から当該故障ユニットの切り離し設定が入力されると、主制御部１０は当該故障ユニットをソフトウェア的に切り離し、故障していないユニットによる限定的な券発売を行う。また、故障ユニットを切り替える場合は、当該故障ユニットの電源スイッチをオフして本体から取り外し、故障していないユニットを組み込み、このユニットの電源スイッチをオンし、上記発売制限画面からユニットの接続設定を行う。【選択図】  図１
2006048591.tif 000002
【特許請求の範囲】
【請求項１】
券の発売を行う券発売装置であって、
前記券発売装置に外部からＡＣ電源の供給を受け、このＡＣ電源をオン／オフする電源スイッチを介してＡＣ電源及びＤＣ電源を出力する主電源と、
この主電源からＡＣ電源又はＤＣ電源の供給を受け、券を発行するための処理を行う複数のユニットで構成した券発売手段と、
この券発売手段の各ユニットの動作状況を表示する表示手段と、この表示手段を視認した操作員が前記券発売手段から前記複数のユニットを個別に接続又は切り離し設定することが可能な券発売制限手段とを備えた係員操作部と、
この係員操作部の前記券発売制限手段によって前記ユニットの接続又は切り離し設定された情報に基づき前記ユニットの機能をオン又はオフする制御を行う主制御部と
を備えたことを特徴とする券発売装置。
【請求項２】
前記券発売手段は、
前記各ユニットの障害状況を前記主制御部に送信する通信手段を備えたことを特徴とする請求項１記載の券発売装置。
【請求項３】
前記主制御部は、
前記ユニットに障害が発生したのに基づき、この障害発生ユニットが送信する障害に関する前記動作状況を受信する受信手段と、
この受信手段によって受信した動作状況を前記係員操作部の操作画面に表示する表示手段と、
この表示手段によって表示された操作画面から前記操作員によって前記障害発生ユニットの切り離し指示が入力された場合、前記障害ユニットの機能をオフする切離手段と、
前記障害発生ユニットを障害なしユニットと取り替えたとき、この取り替えたユニットの機能をオンする接続手段と、
前記切離手段又は前記接続手段によって切り離し又は接続された結果を前記係員操作部に表示し、前記接続手段によって機能がオン設定されたユニットによって構成した前記券発売手段により券の制限発売を行う制限発売設定手段と
を備えたことを特徴とする請求項１記載の券発売装置。
【発明の詳細な説明】
【技術分野】
【０００１】
本発明は、例えば駅などに設置される乗車券などの券発売装置に障害が発生したとき、障害が発生したユニットを切り離して運用できる券発売装置に関する。
【背景技術】
【０００２】
近年、駅などに設置される乗車券を発行する券発売装置は、本体を有し、この本体に金額カードあるは定期券の取り込み及び排出を行うカードメカユニット（以下、カードメカと称す。）、紙幣の取り込み及び排出を行う紙幣メカユニット（以下、紙幣メカと称す。）、硬貨（コイン）の取り込み及び排出を行うコインメカユニット（以下、コインメカと称す。）、券を発行する発券メカユニット（以下、発券メカと称す。）、及びこれらのユニットを制御する主制御部が設けられている。
【０００３】
そして、この主制御部に汎用ＯＳを組み込んだ上記券発売装置において、上記何れかのユニットが故障した場合、その故障したユニットを切り離して使用することが多いが、故障したユニットを修理する場合は、券発売装置を発売中止にして本体電源をオフしていた。従って、修理後の復帰で電源をオンすると立ち上げに時間がかかるという問題があり、券発機では、この立ち上げ時間を短くして、利用者に不便をかけないことが重要である。
【０００４】
例えば、カードメカ、ビルメカ（上記、紙幣メカユニットに相当する。）、コインメカ、発券メカ及びこれらを制御する制御部（上記、主制御部に相当する。）に電源を供給する本体電源部と利用者が使用する表示処理ユニットの電源部を分離して表示処理ユニットの表示を保持する方法が知られている。この方法は、修理のために本体電源部をオフしても表示処理ユニットの電源がオフにならないため、修理後の復帰時間を短縮することができる。（例えば、特許文献１参照。）。
【特許文献１】特開２００１−９２９９６号公報（第１―６頁、図２）
【発明の開示】
【発明が解決しようとする課題】
【０００５】
しかしながら、特許文献１記載の方法は、例えばカードメカの修理のために本体電源をオフすると、それ以外のビルメカ、コインメカ、発券メカ及び制御部などの主要なユニットの電源もオフになるために、券発売装置の主要な機能が利用できなくなるという問題があった。また、障害の復帰後、本体電源をオンすると、立ち上げに時間がかかるという問題があった。
【０００６】
本発明は上記問題を解決するためになされたもので、故障したユニットが発生した場合には、故障したユニットの切り離し処理を行い、故障していないユニットは継続して使用できるようにすることによって利便性の低下を防止する券発売装置を提供することを目的とする。
【課題を解決するための手段】
【０００７】
上記目的を達成するために、本発明の券発売装置は、券の発売を行う券発売装置であって、前記券発売装置に外部からＡＣ電源の供給を受け、このＡＣ電源をオン／オフする電源スイッチを介してＡＣ電源及びＤＣ電源を出力する主電源と、この主電源からＡＣ電源又はＤＣ電源の供給を受け、券を発行するための処理を行う複数のユニットで構成した券発売手段と、この券発売手段の各ユニットの動作状況を表示する表示手段と、この表示手段を視認した操作員が前記券発売手段から前記複数のユニットを個別に接続又は切り離し設定することが可能な券発売制限手段とを備えた係員操作部と、この係員操作部の前記券発売制限手段によって前記ユニットの接続又は切り離し設定された情報に基づき前記ユニットの機能をオン又はオフする制御を行う主制御部とを備えたことを特徴とする
【発明の効果】
【０００８】
本発明によれば、故障したユニットが発生した場合には、故障したユニットのみの切り離し処理を行い、故障していないユニットは継続して使用できるようにすることによって利便性の低下を防止する券発売装置及び券発売装置のユニットの切替方法を提供することができる。
【発明を実施するための最良の形態】
【０００９】
以下、図面を参照して本発明の実施例を説明する。
【実施例】
【００１０】
図１は、本発明の実施例による券発売装置のシステムズ図である。券発売装置は、装置本体１を有し、この装置本体１に金額カードあるは定期券の取り込み及び排出を行うカードメカ２、紙幣の取り込み及び排出を行う紙幣メカ３、接客部４、係員操作部５、券を発行する発券部６、硬貨（コイン）の取り込み及び排出を行うコインメカ７、利用明細を印字するジャーナルプリンタ８、電源９及びこれらの各ユニットを制御する主制御部１０が設けられている。
【００１１】
電源９には、外部からＡＣ電源の供給を受ける入力部９２を有し、この入力部９２から入力されたＡＣ電源をオン／オフする電源スイッチ９１が設けれれている。この電源スイッチ９１は、券発売装置全体の電源をオン／オフすることができる。この電源スイッチ９１がオンのときに入力されたＡＣ電源を基に、上記各ユニットにＡＣ電源又はＤＣ電源を供給する。
【００１２】
AC電源の供給を受けるユニットには、カードメカ２、紙幣メカ３、発券部６、コインメカ７及び主制御部１０があり、主に大きな消費電力で動作する。これらＡＣ電源を受けて動作する各ユニットには、ＡＣ電源の電源スイッチ１１、２１、３１、６１、７１が個別に設けられている。
【００１３】
一方、ＤＣ電源を受けて動作するユニットには、接客部４、係員操作部５及びジャーナルプリンタ８などがあり、主に小さな消費電力で動作する。
【００１４】
主制御部１０には、電源９を除く各ユニットとの間に通信ライン１２が設けられている。主制御部１０は、この通信ライン１２を経由して各ユニットに対してコマンドを送信する。また、各ユニットはこのコマンドに基づいて実行し、この実行によって得られた結果を主制御部１０に送信する。
【００１５】
次に、図２乃至図６を参照してユニットの故障時に各ユニットをソフトウェア的に切り離す操作を説明する。ソフトウェア的に切り離した状態とは、故障したユニットが物理的には接続状態にあるが、当該ユニットの機能をオフした状態（無視した状態）をいう。従って、単にユニットがその場所に配置されている状態をいう。
【００１６】
図２は、係員操作部５のタッチパネル付き操作画面１００を表示した一例である。この操作画面１００は、ＬＣＤによって表示された操作画面で、このＬＣＤ表示されている操作画面の指示に基づき入力することができる。図示した画面は通常状態を示しており、特に、ユニットの切り離しに関連する部分を表示している。
【００１７】
切離状態１４０は、ユニットの接続又は切り離し状態を表示した一例である。この場合、カードメカ２、高額紙幣部、コインメカ７及び音声部が接続状態（機能がオンした状態）にあり、紙幣メカ３が切り離し状態（機能がオフした状態）にあることを示す。図示した例では、接続状態にあるユニットは、白丸表示になっており、切り離し状態にあるユニットを黒丸表示してある。また、可変表示部１１１は、操作案内の内容によって各種の表示案内が行われる。
【００１８】
次に、図３〜図４に示すユニットの切り離しに関する処理フローチャート及び図５〜図６に示す発売制限画面を参照して故障ユニットが発生した場合の動作を説明する。図３はユニットの接続／切離に関わる主制御部の制限発売設定に関する処理フローチャートで、図４は、ユニットの切り離しに関する係員操作部の処理フローチャートである。
【００１９】
最初に、図３を参照してユニットの接続／切離に関わる制限発売設定に関するフローチャートを説明する。主制御部１０は、ユニットの動作状況を通信ライン１２（通信手段）を介して各ユニットから受信する（Ｓ１、受信手段）。この受信した動作状況を係員操作部５に表示する（Ｓ２、表示手段）。
【００２０】
次に、係員操作部５の動作を説明する。例えば、何れかのユニットに障害が発生した場合は、その障害状況が動作状況として図２に示す操作画面の可変表示部１１１に表示される。表示されている表示内容により、駅の係員など券発売装置の操作員によって、故障ユニットが認識され、かつ、図２に示す発売制限タブ１３０、又は切離状態モニタ部１４０が指などでタッチされると、操作画面１００は、図５に示す状態になる。
【００２１】
操作員は、図５に示す発売制限タブ１３０の画面を示す操作画面１００の切離設定部１３１から各ユニット毎の接続／切離を個別に設定することができる。次に、この発売制限タブ１３０の画面の説明を行う。
【００２２】
図５は発売制限タブ１３０の画面を表示したものである。また、図６は、例えば、紙幣メカ３を切り離し、又は接続する場合の接続／切離ボタンの状態を説明する図である。
【００２３】
切離設定部１３１の部分は、券発売装置を構成する主要なユニットの接続／切離状態を表示する。例えば紙幣メカ３が故障した場合、操作員は紙幣メカ３の接続／切離状況表示設定ボタンの切離ボタンを押下（図６（Ａ）に示す切離ボタンが沈んだ状態。図では太枠で囲んである。）することによって紙幣メカ３の切り離しが設定される。また、紙幣メカ３の接続ボタンを押下（図６（Ｂ）に示す接続ボタンが沈んだ状態。図では太枠で囲んである。）することによって紙幣メカ３の接続が設定される。操作部５からの上記接続／切離設定情報は主制御部１０によって認識される。
【００２４】
次に、主制御部１０は、上記接続／切離設定情報を判別する（Ｓ３）。この判別の結果接続設定の場合、ソフトウェア的に当該ユニットの接続処理（接続手段）を行う（Ｓ５）。また、判別の結果切離設定の場合、ソフトウェア的に当該ユニットの切り離し処理（切離手段）を行う（Ｓ４）。
【００２５】
なお、上記ソフトウェア的な当該ユニットの接続処理とは、該当するユニットが物理的に券発売装置１に組み込まれているがユニットの機能がオフしている状態（切離状態）から、当該ユニットの機能をオンする処理のことである。また、上記ソフトウェア的な当該ユニットの切り離し処理とは、該当するユニットが物理的に券発売装置１に組み込まれているがユニットの機能がオンしている状態（接続状態）から、当該ユニットの機能をオフする処理のことである。
【００２６】
次に、図４を参照してユニットの切り離しに関する係員操作部の処理フローチャートを説明する。主制御部１０によって各ユニットの動作状況が受信される。受信された動作状況は、操作画面に表示される（Ｓ１０）。
【００２７】
次に、表示されている表示内容により、駅の係員など券発売装置の操作員によって、故障ユニットがあるか確認される（Ｓ１１）。この確認の結果、障害ユニットが確認された場合（Ｓ１１のＹｅｓ）、この操作画面から障害ユニットの接続／切離設定が行われる（Ｓ１２）。この接続／切離設定後の処理は図３の説明の通りであり、省略する。
【００２８】
次に、故障ユニットの切替方法を説明する。例えば紙幣ユニット３の故障によって、この紙幣メカ３を取り外し、修理済み紙幣メカ３と交換し、復帰する方法を説明する。紙幣メカ３の障害が認識された場合、紙幣ボタン１３３の切離ボタンを押下する（切離ボタンが沈んだ状態、）。この操作によって、紙幣メカ３が券発売装置からソフトウェア的に切り離される。
【００２９】
次に、上記故障ユニットである紙幣メカ３を装置本体１から取り外すには、紙幣メカ３の電源スイッチ１１をオフにする。
【００３０】
次に、ＡＣ電源及び通信ライン１２の接続部のコネクタ（図示しない）を取り外し、紙幣メカ３を装置本体１に固定している固定金具を取り外すことによって、紙幣メカ３を装置本体１から取り外すことができる。
【００３１】
上記紙幣メカ３が取り外された状態では、紙幣メカ３以外のユニットに障害がなければ限定的な券発売が可能である。例えば、カードメカ２及びコインメカ７による乗車券の発行が可能である。また、コインメカ７が故障して上記同様にコインメカ７の取り外しを行った場合は、カードメカ２又は紙幣メカ３による紙幣での乗車券の発行が可能である。
【００３２】
次に、上記限定的な券発売を行っている間に、故障ユニットである紙幣メカ３の修理が完了した場合の復帰方法を、紙幣メカ３を組み込む場合を例に説明する。
【００３３】
最初に紙幣メカ３を装置本体１に組み込み、ＡＣ電源及び通信ライン１２の接続部のコネクタ（図示しない）を接続する。
【００３４】
次に、紙幣メカ３の電源スイッチ３１をオンにする。
【００３５】
次に、図５に示す発売制限タブ１３０の操作画面から、紙幣ボタン１３３の接続ボタンを押下する（接続ボタンが沈んだ状態）。
【００３６】
主制御部１０は、通信ライン１２によって係員操作部５から紙幣メカ３が接続されたことを認識し、切離状態モニタ部１４０に接続状態を表示する。以上の操作によって紙幣メカは装置本体１に組み込まれて、動作可能になる。
【００３７】
この方法によれば、電源９の電源スイッチ９１をオフしないため、故障したユニット以外のユニットを継続して利用できるため、利用者に対する限定的な券発売が可能になり、利便性の低下を防止することができる。また、電源９の電源スイッチ９１をオフしないで券発売装置が復旧するため、故障したユニットを取り替えたときに、短い立ち上げ時間で復帰できる効果がある。
【図面の簡単な説明】
【００３８】
【図１】本発明の実施例による券発売装置のシステム図。
【図２】係員操作部のタッチパネル付き操作画面。
【図３】ユニットの切り離しに関する主制御部の制限発売に関する処理フローチャート。
【図４】ユニットの切り離しに関する係員操作部の処理フローチャート。
【図５】発売制限タブの操作画面。
【図６】紙幣メカを切り離し、又は接続する場合の接続／切離ボタンの状態を説明する図。
【符号の説明】
【００３９】
１  装置本体
２  カードメカ
３  紙幣メカ
５  係員操作部
６  発券部
７  コインメカ
９  電源
１０  制御部
１１、２１、３１、６１、７１、９１  電源スイッチ
１２  通信ライン
１００  係員操作部のタッチパネル付き操作画面
１３０  発売制限タブ
１３３  紙幣ボタン
１４０  切離状態モニタ部
【図１】
2006048591.tif 000003
【図２】
2006048591.tif 000004
【図３】
2006048591.tif 000005
【図４】
2006048591.tif 000006
【図５】
2006048591.tif 000007
【図６】
2006048591.tif 000008